(57)【要約】【課題】ハウジングに配線板状部材が差し込まれるコネクタ装置であって、製造コストの低減を図ることができるもとで、配線板状部材に対するハウジングからの不所望な抜脱を阻止するための係止及びその係止の解除を容易かつ確実に行えるものを提供する。【解決手段】ハウジング１１に差し込まれたフレキシブル印刷配線基板１３に対する係止と係止解除とを行う係合部材１６，１７を備え、係合部材が、ハウジングに固定される基部２１，３１とそれから伸びる可動アーム部２２，３４とを有し、可動アーム部に、フレキシブル印刷配線基板の切欠き係合部２６，３５に係合してフレキシブル印刷配線基板を係止する係止部２７，３６と、可動アーム部からハウジングの外部へと突出し、移動操作が加えられるとき、可動アーム部に係止部によるフレキシブル印刷配線基板に対する係止を解除させる係止解除操作部２８，３７とが形成される。【選択図】図１
2011204509.tif 000002
【特許請求の範囲】
【請求項１】
板状部材差込み部が設けられて配線基板上に配されるハウジングと、
該ハウジングに配列配置されて設けられ、上記配線基板に設けられた配線端子に連結される状態をとり、配線板状部材が上記板状部材差込み部を通じて上記ハウジングに差し込まれたとき、上記ハウジングに差し込まれた配線板状部材における複数の接触端子部に接触接続される複数のコンタクトと、
上記ハウジングに設けられ、配線板状部材が上記ハウジングに上記板状部材差込み部を通じて差し込まれたとき、該配線板状部材に対する係止を行う係止状態と上記係止を解除する係止解除状態とを選択的にとる係合部材と、
を備えて成り、
上記係合部材が、上記ハウジングに固定される基部と該基部から伸びる可動アーム部とを有し、該可動アーム部に、上記板状部材差込み部を通じて上記ハウジングに差し込まれた配線板状部材における係合部に係合して上記配線板状部材を係止する係止部と、上記可動アーム部から上記ハウジングの外部へと突出し、移動操作が加えられるとき、上記可動アーム部に上記係止部による上記配線板状部材に対する係止を解除させる係止解除操作部と、が形成されていることを特徴とするコネクタ装置。
【請求項２】
上記係合部材が、金属材料によって構成され、上記基部から上記ハウジングの外部へと伸びて上記配線基板に設けられた導体部分に半田付けされる半田付け部を有していることを特徴とする請求項１記載のコネクタ装置。
【請求項３】
上記複数のコンタクトの夫々の一端部が上記ハウジングにおける一対の対向端面部の一方から上記ハウジングの外部に突出して上記配線基板に設けられた配線端子に半田付けされ、上記半田付け部が上記ハウジングにおける一対の対向端面部の他方から上記ハウジングの外部に突出して上記配線基板に設けられた導体部分に半田付けされることを特徴とする請求項２記載のコネクタ装置。
【請求項４】
上記ハウジングの外面部の一部における該ハウジングの外部に突出する上記係止解除操作部の周囲に、切欠き凹部が形成されていることを特徴とする請求項１記載のコネクタ装置。
【請求項５】
上記係合部材における上記可動アーム部が、上記基部から折返し屈曲部を介して伸び、上記折返し屈曲部に連なって設けられて上記ハウジングに接触する状態をとる接触係合部分と上記係止部と上記係止解除操作部とが形成された揺動可能部を形成することを特徴とする請求項１記載のコネクタ装置。
【請求項６】
上記可動アーム部における上記係止部が、上記ハウジングへの上記板状部材差込み部を通じた配線板状部材の差込み方向に沿って上昇傾斜する傾斜面を形成しており、該傾斜面を形成する部分を上記配線板状部材に設けられた係合部に係合させることを特徴とする請求項１記載のコネクタ装置。
【請求項７】
上記係合部材が、上記ハウジングにおける上記複数のコンタクトの配列方向の両端部の夫々に設けられることを特徴とする請求項１記載のコネクタ装置。
【発明の詳細な説明】
【技術分野】
【０００１】
本願の特許請求の範囲に記載された発明は、フレキシブル印刷配線基板（ＦＰＣ）やフレキシブル平板状ケーブル（ＦＦＣ）等の配線板状部材が装着されるもとで、装着された配線板状部材に設けられた接触端子部に接触接続されるコンタクトと装着された配線板状部材に対する係止及び係止解除を行う係合部材とを備えたコネクタ装置に関する。
【背景技術】
【０００２】
各種の電子機器に実装される比較的小型なフレキシブル印刷配線基板やフレキシブル平板状ケーブル等の配線板状部材は、各種の電気部品が取り付けられる主配線基板への取付けが、当該主配線基板に電気的接続がなされて固定されるコネクタ装置が用いられて行われることが多いものとされる。このような配線板状部材の主配線基板への取付けにあたって用いられるコネクタ装置は、配線板状部材に設けられた接触端子部に接触接続される導電性のコンタクトを有していて、そのコンタクトを介して、配線板状部材に設けられた接触端子部を主配線基板に設けられた配線端子に電気的に接続する。
【０００３】
従来提案されている、例えば、フレキシブル印刷配線基板とされる配線板状部材の主配線基板への取付けに用いられるコネクタ装置は、配線板状部材が差し込まれる差込み部を形成するものとされて主配線基板に配される、例えば、絶縁材料によって形成されたハウジングを有している。そして、そのハウジング内に配列配置されて設けられて主配線基板に設けられた配線端子に連結され、配線板状部材が差込み部を通じてハウジングに差し込まれるとき、その配線板状部材に設けられた複数の接触端子部に夫々対応するものとなる複数のコンタクトと、ハウジングに対して回動可能に設けられたアクチュエータとを備えている。
【０００４】
アクチュエータは、複数のコンタクトの夫々に係合し、回動せしめられるとき複数のコンタクトの夫々における作動部を変位させて、複数のコンタクトに、差込み部を通じてハウジングに差し込まれた配線板状部材に設けられた複数の接触端子部に夫々接触接続された状態、もしくは、複数の接触端子部との接触接続から解放された状態をとらせるもの、または、差込み部を通じてハウジングに差し込まれた配線板状部材に当接し、回動せしめられるとき、配線板状部材を押圧して当該配線板状部材に設けられた複数の接触端子部を複数のコンタクトに夫々接触接続された状態におく、もしくは、配線板状部材に対する押圧を解除して当該配線板状部材に設けられた複数の接触端子部を複数のコンタクトとの接触接続から解放された状態におくものとされる。そして、複数のコンタクトと配線板状部材に設けられた複数の接触端子部とが相互接触接続されることにより、配線板状部材が主配線基板との電気的接続状態におかれる。
【０００５】
さらに、従来提案されている配線板状部材の主配線基板への取付けに用いられるコネクタ装置の中には、上述のようなハウジングを有し、上述のような複数のコンタクトを備えるとともに、外部からの電磁波ノイズに対するシールド効果を得るため、ハウジングを部分的もしくは全体的に覆うものとして配されて主配線基板に設けられた接地端子に連結される導電性シェルを備え、ハウジングに対して回動可能に設けられるアクチュエータは備えていないものもある。斯かる従来のコネクタ装置にあっては、配線板状部材が差込み部を通じてハウジングに差し込まれたとき、自動的に、ハウジング内に設けられた複数のコンタクトが、差し込まれた配線板状部材に設けられた複数の接触端子部に夫々接触接続され、配線板状部材が差込み部を通じてハウジングに適正に差し込まれるだけで、配線板状部材が主配線基板との電気的接続状態におかれる。
【０００６】
このような従来提案されているコネクタ装置にあっては、ハウジングに対して回動可能に設けられるアクチュエータを備えたもの及び斯かるアクチュエータを備えていないもののいずれの場合にも、例えば、フレキシブル印刷配線基板とされる配線板状部材が、主配線基板に配されたハウジングに差込み部を通じて差し込まれて、ハウジングに配された複数のコンタクトが、ハウジングに差し込まれた配線板状部材における複数の接触端子部に夫々接触接続され、それにより、配線板状部材が主配線基板との電気的接続状態におかれるにあたり、配線板状部材がハウジングから不所望に離脱するような事態が回避されなくてはならない。当然のことながら、ハウジングに配された複数のコンタクトがハウジングに差し込まれた配線板状部材における複数の接触端子部に夫々接触接続された状態が適正に維持されるためには、ハウジングに差込み部を通じて差し込まれた配線板状部材が、その状態を安定に維持することができ、ハウジングから不所望に抜脱されるような事態をまねかないものとされることが必要とされるのである。
【０００７】
そのため、上述のような、ハウジングを有し、複数のコンタクトとハウジングに対して回動可能とされるアクチュエータとを備えたコネクタ装置に属するものであって、ハウジングに差込み部を通じて差し込まれた配線板状部材に係合して、当該配線板状部材のハウジングからの不所望な抜脱の阻止に関与する係止手段を備えたコネクタ装置が従来提案されている（例えば、特許文献１参照。）。また、上述のような、ハウジングを有し、複数のコンタクトは備えているが、ハウジングに対して回動可能とされるアクチュエータは備えていないコネクタ装置に属するものであって、ハウジングに差込み部を通じて差し込まれた配線板状部材に係合して、当該配線板状部材のハウジングからの不所望な抜脱を阻止する係止手段を備えたコネクタ装置も従来提案されている（例えば、特許文献２参照。）。
【０００８】
特許文献１に示されるコネクタ装置（フレキシブル基板用コネクタ）にあっては、ハウジング(2) における複数のコンタクト(6) の配列方向の両端側壁(5) に一対の補強金具(20)が夫々取り付けられており、各補強金具には、ハウジングに差込み部（開口部(3))を通じて差し込まれた配線板状部材（フレキシブル基板(30)) に当接して配線板状部材にそれを押し上げる方向の押圧力を作用させる、もしくは、ハウジングに差込み部を通じて差し込まれた配線板状部材における係合部（係合孔又は切欠き部(32)) に係合する状態をとる係止手段（弾性支持片(25)) が形成されている。そして、ハウジングに対して回動可能に設けられたアクチュエータ（加圧部材(12)) が、ハウジングに対して起き上がった位置からハウジングに対して伏した位置へと回動されるとき、ハウジングに差し込まれた配線板状部材が、アクチュエータによって、補強金具に形成された係止手段とは反対側から当該係止手段に向かって押圧される。
【０００９】
それにより、ハウジングに差し込まれた配線板状部材が、アクチュエータと補強金具に形成された係止手段とによって押圧挟持されることにより係止され、もしくは、補強金具に形成された係止手段が配線板状部材における係合部に係合することにより係止される。それにより、ハウジングに差し込まれた配線板状部材のハウジングからの不所望な抜脱が阻止される。
【００１０】
その後、アクチュエータが、ハウジングに対して伏した位置からハウジングに対して起き上がった位置へと回動されるとき、ハウジングに差し込まれた配線板状部材がアクチュエータにより押圧されなくなり、配線板状部材がアクチュエータと補強金具に形成された係止手段とによって押圧挟持された状態、もしくは、補強金具に形成された係止手段が配線板状部材における係合部に係合した状態が解除される。それにより、ハウジングに差し込まれた配線板状部材がハウジングから抜脱され得る状態におかれる。
【００１１】
また、特許文献２に示されるコネクタ装置（ロック付きＦＰＣ用コネクタ）にあっては、ハウジング（絶縁ハウジング(5))にそれに対してスライド可能に設けられた可動導電性シェル（イジェクトプレート(8))が備えられている。この可動導電性シェルは、ハウジングとの間に配されたコイルスプリング等の弾性部材(7) によって、ハウジングに対する配線板状部材 (ＦＰＣ基板(2))の差込み方向とは逆の方向に付勢されている。また、ハウジングにおける複数のコンタクト（コンンタクトピン(4))の配列方向の両端部分に一対の可動係止手段（弾性係止爪(6) が夫々取り付けられており、各可動係止手段は、その先端部に、ハウジングに差込み部（開口部(3))を通じて差し込まれた配線板状部材における係合部（凹部(2d)) に係合する状態をとる係止部(6c)が形成されていて、配線板状部材に対するロック装置を構成している。
【００１２】
さらに、各可動係止手段には、可動導電性シェルにおける透孔内に配される突起を成すイジェクト係止片(6d)が形成されていて、このイジェクト係止片(6d)には、可動導電性シェルがスライドするとき、当該可動導電性シェルにおける透孔に形成されたテーパ部(8a)が係合する。
【００１３】
そして、各可動係止手段に形成されたイジェクト係止片が可動導電性シェルにおける透孔内に配されていて、当該透孔に形成されたテーパ部がイジェクト係止片に係合していないもとで、配線板状部材がハウジングに差込み部を通じて差し込まれると、可動係止手段に形成された係止部が、配線板状部材における係合部に係合して配線板状部材を係止する。それにより、ハウジングに差し込まれた配線板状部材のハウジングからの不所望な抜脱が阻止される。
【００１４】
その後、可動導電性シェルが、それをハウジングに対する配線板状部材の差込み方向とは逆の方向に付勢している弾性部材の付勢力に抗して、ハウジングに対する配線板状部材の差込み方向に沿う方向にスライドせしめられると、スライドする可動導電性シェルにおける透孔に形成されたテーパ部が、可動係止手段に形成されたイジェクト係止片に係合して、そのイジェクト係止片を押圧し、可動係止手段をそれに形成された係止部の配線板状部材における係合部との係合状態を解除する方向に移動させる。それにより、可動係止手段に形成された係止部が配線板状部材における係合部との係合から解放され、ハウジングに差し込まれた配線板状部材がハウジングから抜脱され得る状態におかれる。
【先行技術文献】
【特許文献】
【００１５】
【特許文献１】特開２００３−１００３７０号公報（３〜４頁，図１〜１０）
【特許文献２】特開２００９−２３１０６９号公報（３〜４頁，図１〜５）
【発明の概要】
【発明が解決しようとする課題】
【００１６】
上述のような、ハウジングに差し込まれたフレキシブル印刷配線基板等の配線板状部材のハウジングからの不所望な離脱の阻止に関与する係止手段を備えた、配線板状部材の主配線基板への取付けに用いられるコネクタ装置として、従来提案されているものにあっては、係止手段の配線板状部材に対する係止への関与がハウジングに対して回動可能とされたアクチュエータの回動操作に連動してなされ、あるいは、係止手段による配線板状部材に対する係止解除がハウジングに対して移動可能に設けられた可動導電性シェルの移動に連動して行われる。
【００１７】
このような、係止手段の配線板状部材に対する係止への関与がハウジングに対して回動可能とされたアクチュエータの回動操作に連動してなされる従来のコネクタ装置の場合には、ハウジングに対して回動可能とされたアクチュエータを備えることが不可欠とされ、そのことが、コネクタ装置の製造コストを嵩ませる要因となる。それに加えて、係止手段を配線板状部材に対する係止あるいは係止解除に関与させるにあたっては、アクチュエータをハウジングに対して回動させる操作が不可欠とされ、斯かる操作を行うための不所望なスペースをコネクタ装置の周囲に設けることが必要とされる。
【００１８】
また、ハウジングに対して移動可能とされた可動導電性シェルが備えられ、係止手段による配線板状部材に対する係止解除が可動導電性シェルの移動に連動して行われる従来のコネクタ装置の場合には、可動導電性シェルがハウジングに対して移動可能とされるので、コネクタ装置の主配線基板への固定のために導電性シェルを利用することができず、別途、コネクタ装置を主配線基板に固定するための部材（ホールドダウン部材）を備えることが必要とされ、そのことが、コネクタ装置の製造コストを嵩ませる要因となる。さらに、ハウジングに対して可動導電性シェルを移動可能とするための機構が必要とされて、そのことが構成の複雑化をまねき、コネクタ装置の製造コストをなお一層嵩ませることになってしまう。
【００１９】
斯かる点に鑑み、本願の特許請求の範囲に記載された発明は、フレキシブル印刷配線基板やフレキシブル平板状ケーブル等とされる配線板状部材の他の配線基板への取付けに用いられる、板状部材差込み部が設けられたハウジングとハウジングに配列配置されて設けられる複数のコンタクトとを備えたコネクタ装置であって、ハウジングに対して回動可能とされるアクチュエータ、あるいは、ハウジングに対して移動可能とされる可動導電性シェル等が不要とされ、それにより、構成の簡略化と部品点数の減少とによる製造コストの低減を図ることができるもとで、ハウジングに板状部材差込み部を通じて差し込まれた配線板状部材に対するハウジングからの不所望な抜脱を阻止するための係止及びその係止の解除を、確実かつ容易に行えることになるものを提供する。
【課題を解決するための手段】
【００２０】
本願の特許請求の範囲における請求項１から請求項７までのいずれかに記載された発明（以下、本発明という。）に係るコネクタ装置は、板状部材差込み部が設けられて配線基板上に配されるハウジングと、ハウジングに配列配置されて設けられ、配線基板に設けられた配線端子に連結される状態をとり、配線板状部材が板状部材差込み部を通じてハウジングに差し込まれたとき、ハウジングに差し込まれた配線板状部材における複数の接触端子部に接触接続される複数のコンタクトと、ハウジングに設けられ、配線板状部材がハウジングに板状部材差込み部を通じて差し込まれたとき、配線板状部材に対する係止を行う係止状態と配線板状部材に対する係止を解除する係止解除状態とを選択的にとる係合部材と、を備えて成り、係合部材が、ハウジングに固定される基部とその基部から伸びる可動アーム部とを有し、可動アーム部に、板状部材差込み部を通じてハウジングに差し込まれた配線板状部材における係合部に係合して配線板状部材を係止する係止部と、可動アーム部からハウジングの外部へと突出し、移動操作が加えられるとき、可動アーム部に係止部による配線板状部材に対する係止を解除させる係止解除操作部と、が形成されることを特徴とするものとされる。
【００２１】
特に、本願の特許請求の範囲における請求項２に記載された本発明に係るコネクタ装置にあっては、係合部材が、金属材料によって構成され、その基部からハウジングの外部へと伸びて配線基板に設けられた導体部分に半田付けされる半田付け部を有している。
【００２２】
また、本願の特許請求の範囲における請求項４に記載された本発明に係るコネクタ装置にあっては、ハウジングの外面部の一部におけるハウジングの外部に突出する係止解除操作部の周囲に、切欠き凹部が形成されている。
【００２３】
上述のような本発明に係るコネクタ装置にあっては、配線板状部材が配線基板上に配されるハウジングにそれに設けられた板状部材差込み部を通じて差し込まれると、ハウジングに配列配置された複数のコンタクトが差し込まれた配線板状部材における複数の接触端子部に接触接続されるとともに、ハウジングに設けられた係合部材が、ハウジング内において、差し込まれた配線板状部材を係止し、配線板状部材のハウジングからの不所望な抜脱を阻止する。そして、係合部材が配線板状部材を係止したもとで、係合部材に所定の操作が加えられると、配線板状部材を係止した係合部材が、ハウジング内において、配線板状部材に対する係止を解除して、配線板状部材のハウジングからの抜脱を可能とする。
【００２４】
斯かるもとで、係合部材は、ハウジングに固定される基部とその基部から伸びる可動アーム部とを有している。そして、可動アーム部には、板状部材差込み部を通じてハウジングに差し込まれた配線板状部材における、例えば、係合切欠き部もしくは係合孔とされる係合部に係合して配線板状部材を係止する係止部と、可動アーム部からハウジングの外部へと突出し、移動操作が加えられるとき、可動アーム部に係止部による配線板状部材に対する係止を解除させる係止解除操作部とが形成される。
【００２５】
さらに、係合部材は、例えば、本願の特許請求の範囲における請求項２に記載された本発明に係るコネクタ装置の場合のように、金属材料によって構成され、その基部からハウジングの外部へと伸びて配線基板に設けられた導体部分に半田付けされる半田付け部を有したものとされる。
【００２６】
また、ハウジングの外面部の一部には、例えば、本願の特許請求の範囲における請求項４に記載された本発明に係るコネクタ装置の場合のように、係合部材の可動アーム部に形成されてハウジング外に突出する係止解除操作部の周囲に切欠き凹部が形成される。
【発明の効果】
【００２７】
本発明に係るコネクタ装置においては、上述のように、ハウジングにそれに設けられた板状部材差込み部を通じて差し込まれた配線板状部材に対しての、ハウジングに設けられた係合部材による、配線板状部材のハウジングからの不所望な抜脱を阻止するための係止、及び、配線板状部材のハウジングからの抜脱を可能とするための係止の解除を行うにあたり、例えば、ハウジングに対して回動可能とされるアクチュエータ、あるいは、ハウジングに対して移動可能とされる可動導電性シェル等が不要とされ、それにより、構成の簡略化と部品点数の減少とによる製造コストの低減を図ることができる。
【００２８】
また、ハウジングに差し込まれた配線板状部材に対しての係止及び係止の解除を行う係合部材が、ハウジングに固定される基部とその基部から伸びる可動アーム部とを有していて、可動アーム部に、配線板状部材における係合部に係合して配線板状部材を係止する係止部と、可動アーム部からハウジングの外部へと突出し、移動操作が加えられるとき、可動アーム部に係止部による配線板状部材に対する係止を解除させる係止解除操作部とが形成されるので、係止部と係止解除操作部とが一体に形成される、簡単で容易に得ることができる構成を有することになる。
【００２９】
そして、このような本発明に係るコネクタ装置にあっては、配線板状部材をハウジングにそれに設けられた板状部材差込み部を通じて差し込むだけで、配線板状部材に対しての係合部材の係止部による係止を行うことができ、それとともに、配線板状部材に対しての係止部による係止の解除を、ハウジングの外部へと突出する係合部材の係止解除操作部に、例えば、押圧操作とされる移動操作を加えるだけで行うことができるので、配線板状部材に対しての係合部材による係止及び係止の解除を極めて簡単な操作によって行うことができるとともに、斯かる操作のために部材の周囲に不所望なスペースを設けることが必要とされない。
【００３０】
特に、本願の特許請求の範囲における請求項２に記載された本発明に係るコネクタ装置にあっては、係合部材が、金属材料によって構成され、可動アーム部に加えて、ハウジングに固定される基部からハウジングの外部へと伸びる半田付け部を有し、その半田付け部が、ハウジングが配される配線基板に設けられた導体部分に半田付けされる。それにより、配線基板に対するその上に配されたハウジングの堅固な固定に、配線基板に設けられた導体部分に半田付けされる半田付け部が貢献することになる。
【００３１】
さらに、本願の特許請求の範囲における請求項４に記載された本発明に係るコネクタ装置にあっては、ハウジングの外面部の一部が、係合部材の可動アーム部に形成されてハウジング外に突出する係止解除操作部の周囲に切欠き凹部が形成されたものとされることにより、例えば、押圧操作とされる移動操作が行われる係合部材の係止解除操作部のハウジング外への突出長を、ハウジングにおける切欠き凹部周囲の外面部を越えて突出することがないものとすることができるとともに、切欠き凹部内における係止解除操作部の突出状況によりハウジング内において配線板状部材に対する係止部による係止が確実に行われているか否かを容易に認識することができ、それに加えて、係止解除操作部に対する移動操作を行い易い状態を得ることができる。
【図面の簡単な説明】
【００３２】
【図１】本発明に係るコネクタ装置の一例をそれに装着されるフレキシブル印刷配線基板と共に示す、コネクタ装置の一例の正面側から見た斜視図である。
【図２】本発明に係るコネクタ装置の一例をそれに装着されるフレキシブル印刷配線基板と共に示す、コネクタ装置の一例の背面側から見た斜視図である。
【図３】本発明に係るコネクタ装置の一例をそれに装着されるフレキシブル印刷配線基板と共に示す平面図である。
【図４】本発明に係るコネクタ装置の一例が備える係合部材を示す斜視図である。
【図５】図３における V−V 線断面を示す断面図である。
【図６】図３におけるVI−VI線断面を示す断面図である。
【図７】本発明に係るコネクタ装置の一例及びそれに装着されるフレキシブル印刷配線基板についての、図３におけるVI−VI線断面を含んだ部分を示す部分斜視図である。
【図８】本発明に係るコネクタ装置の一例が備える係合部材が、コネクタ装置の一例に装着されたフレキシブル印刷配線基板を係止した状態を示す一部断面を含んだ部分斜視図である。
【図９】本発明に係るコネクタ装置の一例が備える係合部材が、コネクタ装置の一例に装着されたフレキシブル印刷配線基板に対する係止を解除した状態を示す一部断面を含んだ部分斜視図である。
【発明を実施するための形態】
【００３３】
本発明を実施するための形態は、以下に述べられる本発明についての実施例をもって説明される。
【実施例】
【００３４】
図１（正面側から見た斜視図），図２（背面側から見た斜視図）及び図３（平面図）は、本発明に係るコネクタ装置の一例をそれに装着されるフレキシブル印刷配線基板と共に示す。
【００３５】
図１，図２及び図３において、本発明に係るコネクタ装置の一例を成すコネクタ装置１０は、合成樹脂等の絶縁材料によって形成されたハウジング１１を備えている。ハウジング１１には、図１及び図３に示されるように、その正面側端面部に板状部材差込み部１２が設けられており、板状部材差込み部１２からハウジング１１の内部へと板状部材収容空間が伸びている。
【００３６】
ハウジング１１は、例えば、図示されていない主配線基板に配され、それにより、コネクタ装置１０の全体が主配線基板に取り付けられたものとされる。その際、ハウジング１１における正面側端面部とそれに対向する背面側端面部とに挟まれた一対の対向外面部のうちの一方が主配線基板に対接する外面部とされて他方が解放された外面部とされる。以下においては、主配線基板に対接するハウジングの一外面部を下方外面部といい、それに対向するハウジングの他外面部を上方外面部という。そして、正面側端面部に設けられた板状部材差込み部１２を通じて、例えば、フレキシブル印刷配線基板１３が、配線板状部材を成すものとして、ハウジング１１に差し込まれる。
【００３７】
ハウジング１１には、その内部に、各々が弾性導電材料で形成された複数のコンタクト１４が、ハウジング１１の長手方向（左右方向）に沿って配列配置されて設けられている。複数のコンタクト１４は、配線板状部材を成すフレキシブル印刷配線基板１３に配列配置された複数の接触端子部１５に接触接続される信号用コンタクトとして設けられているが、他のフレキシブル印刷配線基板における複数の信号接続端子部及び接地接続部に接触接続される信号用及び接地用コンタクトとして用いられてもよい。複数のコンタクト１４の夫々には、図２に示されるように、その一端部が、ハウジング１１の背面側端面部からその外部に突出する接続端子部１４ａを形成しており、接続端子部１４ａは、ハウジング１１が配された主配線基板に設けられた配線端子に、例えば、半田付けにより接続される。そして、複数のコンタクト１４は、例えば、図２に示されるハウジング１１の背面側端面部側から、ハウジング１１の内部へと押圧挿入されて固定される。
【００３８】
これらの複数のコンタクト１４は、配線板状部材を成すフレキシブル印刷配線基板１３が板状部材差込み部１２を通じてハウジング１１に差し込まれたとき、ハウジング１１に差し込まれたフレキシブル印刷配線基板１３における複数の接触端子部１５に夫々接触接続される。それにより、ハウジング１１に差し込まれたフレキシブル印刷配線基板１３における複数の接触端子部１５が、複数のコンタクト１４を介して、ハウジング１１が配された主配線基板に設けられた配線端子に連結される。
【００３９】
また、コネクタ装置１０は、ハウジング１１における長手方向の両端部、即ち、板状部材差込み部１２をハウジング１１の長手方向において挟む一対の端部に夫々設けられた、例えば、金属材料によって形成された一対の係合部材１６及び１７を備えている。係合部材１６及び１７は、配線板状部材を成すフレキシブル印刷配線基板１３が板状部材差込み部１２を通じてハウジング１１に差し込まれたとき、フレキシブル印刷配線基板１３に対する係止を行う係止状態とその係止を解除する係止解除状態とを選択的にとるためのものとして、ハウジング１１に形成された収容切欠き部１８及び１９に夫々配されている。
【００４０】
係合部材１６は、例えば、弾性金属板材に打抜き屈曲加工が施されて形成され、図４に示されるように、ハウジングにおける収容切欠き部１８に固定される基部２１と基部２１から伸びる可動アーム部２２とを有している。可動アーム部２２は、基部２１から折返し屈曲部２３を介して伸びており、基部２１に所定の距離をおいて対向するものとして配されていて、基部２１に近接あるいは離隔する揺動を行う揺動可能部を形成している。
【００４１】
そして、この可動アーム部２２には、折返し屈曲部２３に連なって設けられてハウジング１１に接触する状態をとる接触係合部２４と、板状部材差込み部１２を通じてハウジング１１に差し込まれたフレキシブル印刷配線基板１３における切欠き係合部２６に係合してフレキシブル印刷配線基板１３を係止する係止部２７と、可動アーム部２２からハウジング１１の外部へと突出し、例えば、押圧操作とされる移動操作が加えられるとき、可動アーム部２２に係止部２７によるフレキシブル印刷配線基板１３に対する係止を解除させる係止解除操作部２８とが形成されている。
【００４２】
係止部２７は、ハウジング１１への板状部材差込み部１２を通じたフレキシブル印刷配線基板１３の差込み方向に沿って上昇傾斜する傾斜面２７ａを形成しており、傾斜面２７ａを形成する部分を、フレキシブル印刷配線基板１３に設けられた切欠き係合部２６に係合させる。フレキシブル印刷配線基板１３が板状部材差込み部１２を通じてハウジング１１に差し込まれるとき、係止部２７が形成する傾斜面２７ａは、それに当接するフレキシブル印刷配線基板１３の先端部を係止部２７を乗り越させるように案内する。
【００４３】
さらに、係合部材１６は、基部２１から伸び、ハウジング１１の正面側端面部からその外部へと突出する半田付け部２９を有している。半田付け部２９は、例えば、ハウジング１１の背面側端面部からその外部に突出するコンタクト１４の接続端子部１４ａがハウジング１１が配された主配線基板に設けられた配線端子に半田付けされるもとで、主配線基板に設けられた導体部分に半田付けされ、それにより、主配線基板に対するその上に配されたハウジング１１の堅固な固定に貢献する。
【００４４】
また、係合部材１７も、例えば、弾性金属板材に打抜き屈曲加工が施されて形成され、係合部材１６とは鏡面対称を成す構成を有するものとされる。従って、係合部材１７は、係合部材１６が有する基部２１と可動アーム部２２とに夫々相当する、ハウジング１１における収容切欠き部１９に固定される基部３１と基部３１から伸びる可動アーム部３４とを有している。そして、可動アーム部３４も、基部３１から折返し屈曲部３３を介して伸びており、基部３１に所定の距離をおいて対向するものとして配されていて、基部３１に近接あるいは離隔する揺動を行う揺動可能部を形成している。
【００４５】
そして、この可動アーム部３４には、係合部材１６が有する接触係合部２４と係止部２７と係止解除操作部２８とに夫々相当する、折返し屈曲部３３に連なって設けられてハウジング１１に接触する状態をとる接触係合部と、板状部材差込み部１２を通じてハウジング１１に差し込まれたフレキシブル印刷配線基板１３における切欠き係合部３５に係合してフレキシブル印刷配線基板１３を係止する係止部３６と、可動アーム部３４からハウジング１１の外部へと突出し、例えば、押圧操作とされる移動操作が加えられるとき、可動アーム部３４に係止部３６によるフレキシブル印刷配線基板１３に対する係止を解除させる係止解除操作部３７とが形成されている。
【００４６】
係止部３６は、ハウジング１１への板状部材差込み部１２を通じたフレキシブル印刷配線基板１３の差込み方向に沿って上昇傾斜する傾斜面を形成しており、この傾斜面を形成する部分を、フレキシブル印刷配線基板１３に設けられた切欠き係合部３５に係合させる。フレキシブル印刷配線基板１３が板状部材差込み部１２を通じてハウジング１１に差し込まれるとき、係止部３６が形成する傾斜面は、それに当接するフレキシブル印刷配線基板１３の先端部を係止部３６を乗り越させるように案内する。
【００４７】
さらに、係合部材１７は、基部３１から伸び、ハウジング１１の正面側端面部からその外部へと突出する半田付け部３８を有している。半田付け部３８は、例えば、ハウジング１１の背面側端面部からその外部に突出するコンタクト１４の接続端子部１４ａがハウジング１１が配された主配線基板に設けられた配線端子に半田付けされるもとで、主配線基板に設けられた導体部分に半田付けされ、それにより、主配線基板に対するその上に配されたハウジング１１の堅固な固定に貢献する。
【００４８】
係合部材１６における係止解除操作部２８のハウジング１１の外部への突出は、ハウジング１１の係合部材１６が設けられた端部における上方外面部の一角から係止解除操作部２８の先端部のみが飛び出す状態をもってなされる。そして、当該ハウジング１１の端部における上方外面部の一角には、ハウジング１１の外部へと突出する係止解除操作部２８の先端部の周囲に切欠き凹部３９が形成されている。それにより、例えば、押圧操作とされる移動操作が行われる係止解除操作部２８のハウジング１１外への突出長を、ハウジング１１における切欠き凹部３９の周囲の上方外面部を越えて突出することがないものとすることができる。また、それとともに、切欠き凹部３９内における係止解除操作部２８の突出状況により、ハウジング１１内においてフレキシブル印刷配線基板１３に対する係止部２７による係止が確実に行われているか否かを容易に認識することができ、それに加えて、係止解除操作部２８に対する移動操作を行い易い状態を得ることができる。
【００４９】
同様に、係合部材１７における係止解除操作部３７のハウジング１１の外部への突出も、ハウジング１１の係合部材１７が設けられた端部における上方外面部の一角から係止解除操作部３７の先端部のみが飛び出す状態をもってなされる。そして、当該ハウジング１１の端部における上方外面部の一角には、ハウジング１１の外部へと突出する係止解除操作部３７の先端部の周囲に切欠き凹部４０が形成されている。それにより、例えば、押圧操作とされる移動操作が行われる係止解除操作部３７のハウジング１１外への突出長を、ハウジング１１における切欠き凹部４０の周囲の上方外面部を越えて突出することがないものとすることができる。また、それとともに、切欠き凹部４０内における係止解除操作部３７の突出状況により、ハウジング１１内においてフレキシブル印刷配線基板１３に対する係止部３６による係止が確実に行われているか否かを容易に認識することができ、それに加えて、係止解除操作部３７に対する移動操作を行い易い状態を得ることができる。
【００５０】
このようなもとで、コネクタ装置１０のハウジング１１が、その下方外面部を主配線基板に対接させて、主配線基板に取り付けられたもとで、フレキシブル印刷配線基板１３が板状部材差込み部１２を通じてハウジング１１に差し込まれる際には、上述の図１〜３に示されるように、フレキシブル印刷配線基板１３の先端部分が、ハウジング１１の正面側端面部に設けられた板状部材差込み部１２に対向する位置に配される。コネクタ装置１０のハウジング１１内に配列配置された複数のコンタクト１４の夫々は、例えば、図３における V−V 線断面を示す図５に示されるように、ハウジング１１に固定される固定部５１と固定部５１から伸びる屈曲アーム部５２とを有している。固定部５１からは、接続端子部１４ａがハウジング１１の外部へと伸びており、また、屈曲アーム部５２には、その先端部分に接点部５３が形成されている。フレキシブル印刷配線基板１３は、それにおける複数の接触端子部１５がコネクタ装置１０のハウジング１１に配列配置された複数のコンタクト１４に夫々対応する位置をとる状態におかれる。
【００５１】
このとき、コネクタ装置１０のハウジング１１における収容切欠き部１８が形成された端部においては、図１に示され、さらに、図３におけるVI−VI線断面を示す図６及び図７に詳細に示されるように、係合部材１６が、その基部２１がハウジング１１に固定され、その可動アーム部２２に形成された係止部２７が形成する傾斜面２７ａがハウジング１１の正面側端面部に設けられた板状部材差込み部１２に臨み、その可動アーム部２２に形成された係止解除操作部２８が先端部をハウジング１１の外面部に設けられた切欠き凹部３９からハウジング１１の外部へと突出し、その基部２１から半田付け部２９がハウジング１１の外部へと伸びる状態をもって配されている。そして、フレキシブル印刷配線基板１３は、それにおける切欠き係合部２６が係合部材１６の可動アーム部２２に形成された係止部２７に対応する位置をとる状態におかれる。
【００５２】
同様に、コネクタ装置１０のハウジング１１における収容切欠き部１９が形成された端部においても、図１に示されるように、係合部材１７が、その基部３１がハウジング１１に固定され、その可動アーム部３４に形成された係止部３６が形成する傾斜面がハウジング１１の正面側端面部に設けられた板状部材差込み部１２に臨み、その可動アーム部３４に形成された係止解除操作部３７が先端部をハウジング１１の外面部に設けられた切欠き凹部４０からハウジング１１の外部へと突出し、その基部３１から半田付け部３８がハウジング１１の外部へと伸びる状態をもって配されている。そして、フレキシブル印刷配線基板１３は、それにおける切欠き係合部３５が係合部材１７の可動アーム部３４に形成された係止部３６に対応する位置をとる状態におかれる。
【００５３】
図１〜図３及び図５〜図７に示されるように配されたフレキシブル印刷配線基板１３は、その後、コネクタ装置１０のハウジング１１に、その正面側端面部に設けられた板状部材差込み部１２を通じて差し込まれる。その際には、先ず、フレキシブル印刷配線基板１３の先端部が、ハウジング１１に配された係合部材１６の可動アーム部２２に形成された係止部２７が形成する傾斜面２７ａ及びハウジング１１に配された係合部材１７の可動アーム部３４に形成された係止部３６が形成する傾斜面に当接する。
【００５４】
続いて、フレキシブル印刷配線基板１３の先端部は、ハウジング１１に対する差込み移動に伴って、係止部２７が形成する傾斜面２７ａ及び係止部３６が形成する傾斜面による案内を受けて係止部２７及び係止部３６を乗り越える。このとき、係合部材１６の可動アーム部２２及び係合部材１７の可動アーム部３４は、一旦、弾性変形を生じて、係合部材１６の基部２１及び係合部材１７の基部３１に夫々近接する位置へと変位し、その後、自らの弾性復元力によって元の位置に戻る。それにより、図８に示されるように、係合部材１６における係止部２７が、フレキシブル印刷配線基板１３に設けられた切欠き係合部２６に係合してフレキシブル印刷配線基板１３を係止するとともに、係合部材１７における係止部３６が、フレキシブル印刷配線基板１３に設けられた切欠き係合部３５に係合してフレキシブル印刷配線基板１３を係止する状態が得られる。
【００５５】
斯かる際、係合部材１６における可動アーム部２２が、基部２１から折返し屈曲部２３を介して伸び、折返し屈曲部２３に連なって設けられてハウジング１１に接触する状態をとる接触係合部２４と係止部２７と係止解除操作部２８とが形成された揺動可能部分を形成し、また、係合部材１７における可動アーム部３４が、基部３１から折返し屈曲部３３を介して伸び、折返し屈曲部３３に連なって設けられてハウジング１１に接触する状態をとる接触係合部と係止部３６と係止解除操作部３７とが形成された揺動可能部分を形成していることにより、次のような作用効果が得られる。
【００５６】
即ち、フレキシブル印刷配線基板１３が板状部材差込部１２を通じてハウジング１１に差し込まれるとき、可動アーム部２２がハウジング１１に接触する接触係合部２４を揺動支点として揺動し、また、可動アーム部３４もハウジング１１に接触する接触係合部を揺動支点として揺動することになる。それにより、可動アーム部２２及び３４の夫々の揺動により生じる弾性復元力が、可動アーム部２２に接触係合部２４が形成されず、また、可動アーム部３４に接触係合部が形成されない場合に比して大なるものとされ、係止部２７及び３６がフレキシブル印刷配線基板１３における切欠き係合部２６及び３５に夫々係合する際に明瞭なクリック感が得られるとともに、係止部２７及び３６によるフレキシブル印刷配線基板１３のハウジング１１からの抜脱阻止がより効果的に行われる。さらに、可動アーム部２２及び３４の夫々の揺動支点が、板状部材差込部１２を通じてハウジング１１に差し込まれるフレキシブル印刷配線基板１３の差込み方向における延長上に位置することになるので、係止部２７及び３６がフレキシブル印刷配線基板１３に当接するもとで行われるフレキシブル印刷配線基板１３のハウジング１１への差込みが容易かつ円滑なものとされる。
【００５７】
係合部材１６における係止部２７が切欠き係合部２６に係合するとともに係合部材１７における係止部３６が切欠き係合部３５に係合する状態が得られると、フレキシブル印刷配線基板１３のハウジング１１への差込みが完了し、フレキシブル印刷配線基板１３は、ハウジング１１に対する正規の差込み位置をとり、係合部材１６の可動アーム部２２に形成された係止部２７及び係合部材１７の可動アーム部３４に形成された係止部３６により係止されて、ハウジング１１からの不所望な抜脱が阻止される状態におかれる。即ち、フレキシブル印刷配線基板１３は、ハウジング１１に板状部材差込み部１２を通じて適正に差し込まれるだけで、係合部材１６の可動アーム部２２に形成された係止部２７及び係合部材１７の可動アーム部３４に形成された係止部３６によりハウジング１１からの不所望な抜脱が阻止される状態におかれることになる。
【００５８】
斯かる際、係合部材１６の可動アーム部２２に形成された係止解除操作部２８が、図８に示されるように、その先端部をハウジング１１の外面部に形成された切欠き凹部３９からハウジング１１の外部に突出させる位置をとるとともに、係合部材１７の可動アーム部３４に形成された係止解除操作部３７も、その先端部をハウジング１１の外面部に形成された切欠き凹部４０からハウジング１１の外部に突出させる位置をとる。それにより、係止解除操作部２８の先端部及び係止解除操作部３７の先端部を目視すること、あるいは、係止解除操作部２８の先端部及び係止解除操作部３７の先端部に触れることにより、フレキシブル印刷配線基板１３が、ハウジング１１への板状部材差込み部１２を通じての差込みを完了して正規の差込み位置をとり、係合部材１６の可動アーム部２２に形成された係止部２７及び係合部材１７の可動アーム部３４に形成された係止部３６により係止された状態におかれたことを確認することができる。
【００５９】
このようにして、フレキシブル印刷配線基板１３がハウジング１１への板状部材差込み部１２を通じての差込を完了して正規の差込み位置をとるもとにおいては、ハウジング１１に配列配置された複数のコンタクト１４が、各々の屈曲アーム部５２の先端部分に形成された接点部５３をハウジング１１に差し込まれたフレキシブル印刷配線基板１３における複数の接触端子部１５に夫々弾性当接させて、複数の接触端子部１５に夫々接触接続された状態におかれる。それにより、ハウジング１１に差し込まれたフレキシブル印刷配線基板１３における複数の接触端子部１５が、複数のコンタクト１４を介して、ハウジング１１が配された主配線基板に設けられた配線端子に連結される。斯かる状態は、フレキシブル印刷配線基板１３がハウジング１１に板状部材差込み部１２を通じて適正に差し込まれるだけで得られる。
【００６０】
その後、図９に示されるように、先端部をハウジング１１の外面部に形成された切欠き凹部３９からハウジング１１の外部に突出させた、係合部材１６の可動アーム部２２に形成された係止解除操作部２８に、その先端部をハウジング１１の内部に押し込む押圧操作とされる移動操作が加えられると、可動アーム部２２が、弾性変形を生じ、それに形成された係止部２７を伴って、係合部材１６の基部２１に近接する位置へと変位する。それにより、係止部２７が、フレキシブル印刷配線基板１３における切欠き係合部２６との係合状態から外れ、フレキシブル印刷配線基板１３に対する係止を解除する。即ち、係合部材１６の可動アーム部２２に形成された係止解除操作部２８は、ハウジング１１の外面部に形成された切欠き凹部３９からハウジング１１の外部に突出した先端部に対する押圧操作とされる移動操作が加えられたとき、可動アーム部２２にそれに形成された係止部２７によるフレキシブル印刷配線基板１３に対する係止を解除させるのである。
【００６１】
同様に、先端部をハウジング１１の外面部に形成された切欠き凹部４０からハウジング１１の外部に突出させた、係合部材１７の可動アーム部３４に形成された係止解除操作部３７に、その先端部をハウジング１１の内部に押し込む押圧操作とされる移動操作が加えられるとき、可動アーム部３４が、弾性変形を生じ、それに形成された係止部３６を伴って、係合部材１７の基部３１に近接する位置へと変位する。それにより、係止部３６が、フレキシブル印刷配線基板１３における切欠き係合部３５との係合状態から外れ、フレキシブル印刷配線基板１３に対する係止を解除する。即ち、係合部材１７の可動アーム部３４に形成された係止解除操作部３７も、ハウジング１１の外面部に形成された切欠き凹部４０からハウジング１１の外部に突出した先端部に対する押圧操作とされる移動操作が加えられたとき、可動アーム部３４にそれに形成された係止部３６によるフレキシブル印刷配線基板１３に対する係止を解除させるのである。
【００６２】
このようにして、係合部材１６の可動アーム部２２に形成された係止部２７及び係合部材１７の可動アーム部３４に形成された係止部３６によるフレキシブル印刷配線基板１３に対する係止が解除されることにより、ハウジング１１に差し込まれたフレキシブル印刷配線基板１３が、ハウジング１１から適正に抜脱され得る状態におかれる。
【００６３】
なお、上述の例にあっては、フレキシブル印刷配線基板１３が一対の切欠き係合部２６及び３５が設けられたものとされているが、フレキシブル印刷配線基板１３は、一対の切欠き係合部２６及び３５に代えて、一対の係合孔が設けられたものとされてもよく、斯かる場合にも、上述と同様にして、係合部材１６の可動アーム部２２に形成された係止部２７及び係合部材１７の可動アーム部３４に形成された係止部３６によるフレキシブル印刷配線基板１３に対する係止及び係止の解除が行われる。
【００６４】
上述のようなコネクタ装置１０が用いられてそれにおけるハウジング１１に配線板状部材を成すフレキシブル印刷配線基板１３が差し込まれるもとにあっては、フレキシブル印刷配線基板１３をコネクタ装置１０におけるハウジング１１に板状部材差込み部１２を通じて差し込むだけで、ハウジング１１に差し込まれたフレキシブル印刷配線基板１３における複数の接触端子部１５が、複数のコンタクト１４を介して、ハウジング１１が配された主配線基板に設けられた信号端子部に連結されるとともに、ハウジング１１に差し込まれたフレキシブル印刷配線基板１３が、係合部材１６の可動アーム部２２に形成された係止部２７及び係合部材１７の可動アーム部３４に形成された係止部３６によって適正に係止され、フレキシブル印刷配線基板１３のハウジング１１からの不所望な抜脱が阻止される状態を得ることができる。
【００６５】
そして、コネクタ装置１０にあっては、ハウジング１１にそれに設けられた板状部材差込み部１２を通じて差し込まれたフレキシブル印刷配線基板１３に対しての、ハウジング１１に設けられた係合部材１６及び１７による、フレキシブル印刷配線基板１３のハウジング１１からの不所望な抜脱を阻止するための係止、及び、フレキシブル印刷配線基板１３のハウジング１１からの抜脱を可能とするための係止の解除を行うにあたり、例えば、ハウジング１１に対して回動可能とされるアクチュエータ、あるいは、ハウジング１１に対して移動可能とされる可動導電性シェル等が不要とされ、それにより、構成の簡略化と部品点数の減少とによる製造コストの低減を図ることができる。
【００６６】
また、ハウジング１１に差し込まれたフレキシブル印刷配線基板１３に対しての係止及び係止の解除を行う係合部材１６及び１７が、ハウジング１１に固定される基部２１及び３１とその基部２１及び３１から夫々伸びる可動アーム部２２及び３４とを有していて、可動アーム部２２及び３４に、フレキシブル印刷配線基板１３における切欠き係合部２６及び３５に係合してフレキシブル印刷配線基板１３を係止する係止部２７及び３６と、可動アーム部２２及び３４からハウジング１１の外部へと突出し、移動操作が加えられるとき、可動アーム部２２及び３４に係止部２７及び３６によるフレキシブル印刷配線基板１３に対する係止を解除させる係止解除操作部２８及び３７とが形成されるので、係止部２７及び３６と係止解除操作部２８及び３７とが一体に形成される、簡単で容易に得ることができる構成を有することになる。
【００６７】
そして、このようなコネクタ装置１０によれば、フレキシブル印刷配線基板１３をハウジング１１にそれに設けられた板状部材差込み部１２を通じて差し込むだけで、フレキシブル印刷配線基板１３に対しての係合部材１６及び１７における係止部２７及び３６による係止を行うことができることに加え、フレキシブル印刷配線基板１３に対しての係止部２７及び３６による係止の解除を、ハウジング１１の外部へと突出する係合部材１６及び１７における係止解除操作部２８及び３７に、例えば、押圧操作とされる移動操作を加えるだけで行うことができるので、フレキシブル印刷配線基板１３に対しての係合部材１６及び１７による係止及び係止の解除を極めて簡単な操作によって行うことができるとともに、斯かる操作のために部材の周囲に不所望なスペースを設けることが必要とされない。
【産業上の利用可能性】
【００６８】
以上のような本発明に係るコネクタ装置は、例えば、フレキシブル印刷配線基板等とされる配線板状部材の主配線基板への取付けに用いられる、板状部材差込み部が設けられたハウジングと、ハウジングに配列配置されて設けられる複数のコンタクトと、ハウジングに設けられ、配線板状部材がハウジングに差し込まれたとき、配線板状部材に対する係止状態と係止解除状態とを選択的にとる係合部材とを備えたコネクタ装置であって、部品点数を比較的少として製造コストの低減を図ることができ、さらに、簡単な構成と容易な操作とをもって、ハウジングに板状部材差込み部を通じて差し込まれた配線板状部材に対するハウジングからの不所望な抜脱を阻止するための係止及びその係止の解除を確実に行えるものとして、様々な電子機器等に広く適用され得るものである。
【符号の説明】
【００６９】
１０・・・コネクタ装置，  １１・・・ハウジング，    １２・・・板状部材差込み部，  １３・・・フレキシブル印刷配線基板，  １４・・・コンタクト，  １４ａ・・・接続端子部，  １５・・・接触端子部，  １６，１７・・・係合部材，  １８，１９・・・収容切欠き部，  ２１，３１・・・基部，  ２２，３４・・・可動アーム部，  ２３，３３・・・折返し屈曲部，  ２４・・・接触係合部，  ２６，３５・・・切欠き係合部，  ２７，３６・・・係止部，  ２８，３７・・・係止解除操作部，  ２９，３８・・・半田付け部，  ３９，４０・・・切欠き凹部，  ５１・・・固定部，  ５２・・・屈曲アーム部，  ５３・・・接点部
【図１】
2011204509.tif 000003
【図２】
2011204509.tif 000004
【図３】
2011204509.tif 000005
【図４】
2011204509.tif 000006
【図５】
2011204509.tif 000007
【図６】
2011204509.tif 000008
【図７】
2011204509.tif 000009
【図８】
2011204509.tif 000010
【図９】
2011204509.tif 000011